(57)【要約】【課題】電池が電子機器から外側に出にくくすることが可能な電子機器を提供する。【解決手段】電子機器は、平面視したときに第１端部１ａを有し、第１端部１ａには第１係合部４１が設けられている電池１と、電池１を収容する収容部１０を有する第１ケース部材２１と、第１ケース部材２１によって保持され、第１端部１ａに沿って摺動可能であるスライド部材３とを備え、スライド部材３は、第１ケース部材２１からの脱落を防止する構造を含み、スライド部材３は、第１端部１ａに沿って摺動することによって、スライド部材３が第１係合部４１と係合している第１位置と、スライド部材３が第１係合部４１と係合していない第２位置とをとりうる。【選択図】図４
2017033625.tif 000002
【特許請求の範囲】
【請求項１】
平面視したときに第１端部を有し、前記第１端部には第１係合部が設けられている電池と、
前記電池を収容する収容部を有する第１ケース部材と、
前記第１ケース部材によって保持され、前記第１端部に沿って摺動可能であるスライド部材とを備え、
前記スライド部材は、前記第１ケース部材からの脱落を防止する構造を含み、
前記スライド部材は、前記第１端部に沿って摺動することによって、前記スライド部材が前記第１係合部と係合している第１位置と、前記スライド部材が前記第１係合部と係合していない第２位置とをとりうる、電子機器。
【請求項２】
前記スライド部材は、前記スライド部材が前記第１位置にあるときに前記電池が前記収容部から出ないように前記第１係合部を押さえる張出部を備える、請求項１に記載の電子機器。
【請求項３】
前記脱落を防止する構造は、前記第１ケース部材に引っ掛かるフック部を含む、請求項１または２に記載の電子機器。
【請求項４】
前記電池は、前記第１端部とは反対側に第２端部を有し、前記第２端部には第２係合部が設けられており、前記第１ケース部材は、前記第２係合部と係合する第３係合部を有し、前記スライド部材が前記第２位置にある状態では、前記電池は前記第２係合部と前記第３係合部とが接する箇所を中心軸として回動するようにして前記収容部に出し入れ可能である、請求項１から３のいずれかに記載の電子機器。
【請求項５】
前記スライド部材は、前記第１端部に沿って摺動することによって、前記第１位置とも前記第２位置とも異なる位置であって前記スライド部材が前記第１ケース部材に着脱自在となる第３位置をとりうる、請求項１から４のいずれかに記載の電子機器。
【請求項６】
前記第１ケース部材に対して取り付けられる第２ケース部材を備え、前記第２ケース部材は、前記第２ケース部材が前記第１ケース部材に取り付けられている状態では前記スライド部材の摺動空間内に挿入される第１突起を有し、前記第１突起が前記摺動空間内に挿入されている状態では、前記スライド部材は前記第３位置をとることが阻害される、請求項５に記載の電子機器。
【請求項７】
前記収容部に前記電池が収容された状態で前記収容部を塞ぐように前記第１ケース部材に取り付けられる蓋部を備え、前記スライド部材は、前記蓋部に当接する面を有する、請求項１から６のいずれかに記載の電子機器。
【請求項８】
前記蓋部は、前記蓋部が前記第１ケース部材に取り付けられている状態では前記スライド部材の摺動空間内に挿入される第２突起を有し、前記第２突起が前記摺動空間内に挿入されている状態では、前記スライド部材は前記第２位置をとることが阻害される、請求項７に記載の電子機器。
【発明の詳細な説明】
【技術分野】
【０００１】
本開示は、電子機器に関するものである。
【背景技術】
【０００２】
電池蓋を備える情報通信端末装置の一例が特開２０１４−２９３５号公報（特許文献１）に記載されている。
【０００３】
前面にカバーパネルを備える電子機器の一例が国際公開ＷＯ２０１３／０９４３９１Ａ１号（特許文献２）に記載されている。
【先行技術文献】
【特許文献】
【０００４】
【特許文献１】特開２０１４−２９３５号公報
【特許文献２】国際公開ＷＯ２０１３／０９４３９１Ａ１号
【発明の概要】
【発明が解決しようとする課題】
【０００５】
電子機器の落下などによって電子機器に衝撃が加わった際に、電子機器に収容された電池が電子機器から外れて外側に出てしまう場合がある。
【０００６】
そこで、本開示は、電池が電子機器から外側に出にくくすることが可能な電子機器を提供することを目的とする。
【課題を解決するための手段】
【０００７】
上記目的を達成するため、本開示に基づく電子機器は、平面視したときに第１端部を有し、上記第１端部には第１係合部が設けられている電池と、上記電池を収容する収容部を有する第１ケース部材と、上記第１ケース部材によって保持され、上記第１端部に沿って摺動可能であるスライド部材とを備え、上記スライド部材は、上記第１ケース部材からの脱落を防止する構造を含み、上記スライド部材は、上記第１端部に沿って摺動することによって、上記スライド部材が上記第１係合部と係合している第１位置と、上記スライド部材が上記第１係合部と係合していない第２位置とをとりうる。
【発明の効果】
【０００８】
本開示によれば、電池の第１端部に沿って摺動可能なスライド部材を備え、スライド部材は第１位置にあるときに電池の第１係合部と係合する構造となっているので、スライド部材を第１位置にしておくことで、電池が電子機器から外側に出にくくすることが容易に可能である。
【図面の簡単な説明】
【０００９】
【図１】本開示に基づく実施の形態１における電子機器の正面が見える斜視図である。
【図２】本開示に基づく実施の形態１における電子機器の背面が見える斜視図である。
【図３】本開示に基づく実施の形態１における電子機器の蓋部を外した状態の平面図である。
【図４】図３におけるスライド部材の近傍を拡大した平面図であり、スライド部材が第１位置にある状態を示す平面図である。
【図５】スライド部材が第２位置にある状態を示す平面図である。
【図６】本開示に基づく実施の形態１における電子機器に備わる電池の平面図である。
【図７】本開示に基づく実施の形態１における電子機器に備わる電池の第１端部近傍の斜視図である。
【図８】本開示に基づく実施の形態１における電子機器に備わる電池の第２端部近傍の斜視図である。
【図９】本開示に基づく実施の形態１における電子機器に備わるスライド部材の第１の斜視図である。
【図１０】本開示に基づく実施の形態１における電子機器に備わるスライド部材の第２の斜視図である。
【図１１】本開示に基づく実施の形態１における電子機器に備わるスライド部材の第３の斜視図である。
【図１２】本開示に基づく実施の形態１における電子機器に備わる第１ケース部材の斜視図である。
【図１３】本開示に基づく実施の形態１における電子機器に備わる第１ケース部材の平面図である。
【図１４】図４におけるＸＩＶ−ＸＩＶ線に関する矢視断面図である。
【図１５】図４におけるＸＶ−ＸＶ線に関する矢視断面図である。
【図１６】本開示に基づく実施の形態１における電子機器において電池を回動させて収容部に出し入れする様子の説明図である。
【図１７】スライド部材が第３位置にある状態を示す平面図である。
【図１８】第２ケース部材を第１ケース部材に取り付ける様子の説明図である。
【図１９】第２ケース部材を第１ケース部材に対して取り付けた状態のスライド部材の近傍の拡大図である。
【図２０】本開示に基づく実施の形態１における電子機器に備わる蓋部の第１の斜視図である。
【図２１】本開示に基づく実施の形態１における電子機器に備わる蓋部の第２の斜視図である。
【図２２】本開示に基づく実施の形態１における電子機器において蓋部の背後にあるスライド部材と第２突起との位置関係を示す透視平面図である。
【発明を実施するための形態】
【００１０】
（実施の形態１）
（構成）
図１〜図１５を参照して、本開示に基づく実施の形態１における電子機器について説明する。本実施の形態における電子機器１０１の外観を図１に示す。
【００１１】
電子機器１０１は、正面側に表示領域３１を有する。電子機器１０１は、ケース２０を備える。ケース２０は、第１ケース部材２１と、第２ケース部材２２とを含む。ここで示す例では、第１ケース部材２１は背面（リア）側を覆う部材であり、第２ケース部材２２は正面（フロント）側を覆う部材である。
【００１２】
電子機器１０１の背面側が主に見えるような姿勢とした斜視図を図２に示す。背面側の一方の端部にはたとえば撮像部３４が設けられていてもよい。第１ケース部材２１に蓋部３２が組み合わさっている。蓋部３２は、電子機器１０１内部に収容されている電池を覆うための蓋である。蓋部３２は、電池の他に記憶媒体の着脱機構も覆っていてもよい。ここで示す蓋部３２の外形はあくまで一例であり、このとおりとは限らない。
【００１３】
蓋部３２を外した状態の平面図を図３に示す。電池１が収容部１０に収容されている。収容部１０は第１ケース部材２１に設けられた凹部である。電池１は、このように平面視したとき略長方形であり、互いに平行な短辺として第１端部１ａと第２端部１ｂとを有する。第１ケース部材２１にはスライド軌道２が設けらている。スライド軌道２は電池１の第１辺１ａに沿っている。スライド部材３は、スライド軌道２の内部で摺動可能なように保持されている。
【００１４】
図３におけるスライド部材３の近傍を拡大したところを図４に示す。図４に示した状態では、電池１の第１係合部４１にスライド部材３の張出部３ａが覆いかぶさるようにして互いに係合している。電子機器１０１においては、ユーザがスライド部材３を変位させることによって、図５の状態になりうる。
【００１５】
本実施の形態における電子機器１０１は、電池１と、第１ケース部材２１と、スライド部材３とを備える。電池１は、平面視したときに第１端部１ａを有する。電池１の第１端部１ａには第１係合部４１が設けられている。第１ケース部材２１は、電池１を収容する収容部１０を有する。第１ケース部材２１は、電池１を収容部１０に収容したときに第１端部１ａに沿うこととなる位置にスライド軌道２を有する。スライド部材３は、第１ケース部材によって保持され、第１端部１ａに沿って摺動可能である。具体的には、スライド部材３は、スライド軌道２内に配置され、第１端部１ａに沿って摺動可能である。スライド部材３は、前記第１ケース部材からの脱落を防止する構造を含む。脱落を防止する構造の詳細については後述する。スライド部材３は、第１端部１ａに沿って摺動することによって、スライド部材３が第１係合部４１と係合している第１位置と、スライド部材３が第１係合部４１と係合していない第２位置とをとりうる。図４においては、スライド部材３が第１位置にある。この状態は、電池１をロックしている状態に相当する。図５においてはスライド部材３が第２位置にある。この状態は、電池１のロックを解除している状態に相当する。
【００１６】
電池１を単独で取り出したところを図６に示す。図６は電池１の平面図である。電池１は板状であり、第１主面１ｕを有する。第１主面１ｕは、収容部１０の出口側を向く主面である。すなわち、第１主面１ｕは電子機器１０１の背面側を向く面である。電池１の第１端部１ａ近傍を見た斜視図を図７に示す。電池１は、第１主面１ｕとは反対側の面として第２主面１ｒを有する。第１端部１ａには、２ヶ所の第１係合部４１が設けられている。第１係合部４１は、たとえばＬ字形状の突起である。電池１の第２端部１ｂ近傍を見た斜視図を図８に示す。第２端部１ｂには、２ヶ所の第２係合部４２が設けられている。第２係合部４２は、たとえば電池１の角部に設けられた切欠きである。
【００１７】
スライド部材３を単独で取り出したところを図９に示す。スライド部材３をさらに異なる向きから見たところを図１０および図１１に示す。
【００１８】
第１ケース部材２１を単独で取り出したところを図１２に示す。第１ケース部材２１の平面図を図１３に示す。第１ケース部材２１は、収容部１０の一方の端部に沿うようにスライド軌道２を有する。スライド軌道２は、スライド部材３を受け入れるためのものである。スライド軌道２の底面は２ヶ所の開口部２ａ，２ｂを有する。開口部２ａ，２ｂはいずれもＬ字形の貫通孔である。開口部２ａは、広幅部２ａ１と狭幅部２ａ２とがつながったものである。開口部２ｂは、広幅部２ｂ１と狭幅部２ｂ２とがつながったものである。図１２および図１３に示したように、スライド軌道２のうちの一部区間に沿って隔壁２ｃが設けられていてもよい。隔壁２ｃは第１ケース部材２１の一部として立設された壁状の突起である。隔壁２ｃはスライド軌道２と収容部１０とを隔てている。
【００１９】
スライド部材３が第１位置にある状態を示す図４におけるＸＩＶ−ＸＩＶ線に関する矢視断面図を図１４に示す。図４におけるＸＶ−ＸＶ線に関する矢視断面図を図１５に示す。
【００２０】
（作用・効果）
本実施の形態では、電池１の第１端部１ａに沿って摺動するスライド部材３が設けられており、スライド部材３を第１位置とするか第２位置とするかによって、電池１が収容部１０から出ないように規制する状態と規制しない状態とを切り替えることができる。したがって、本実施の形態における電子機器１０１では、このようなスライド部材３を第１位置にしておくことで、電池１が電子機器１０１から外側に出にくくすることが容易に可能である。
【００２１】
なお、スライド部材３が第１位置にあるときには、スライド部材３が第１係合部４１と係合していることとなっているが、この係合の仕方としては、さまざまな態様が考えられる。たとえば、本実施の形態で示したように、スライド部材３は、スライド部材３が第１位置にあるときに電池１が収容部１０から出ないように第１係合部４１を押さえる張出部３ａを備えることが好ましい。図４では、スライド部材３に２ヶ所設けられた張出部３ａが第１係合部４１を押さえている。図１４のＺ１部には、その様子がより明確に示されている。この構成を採用することにより、簡単な構造でスライド部材３が第１係合部４１と係合することができ、電池１が収容部１０から出ることを防ぐことができる。
【００２２】
本実施の形態では、電池１が２ヶ所の第１係合部４１を備えることとしたが、第１係合部４１の数は２とは限らず、１でもよく３以上であってもよい。もっとも現実的には、スペースの都合および安定性の観点から２ヶ所が最適であると考えられる。スライド部材３に設けられる張出部３ａの数は、第１係合部４１の数に合わせられる。したがって、張出部３ａの数も２とは限らず、１でもよく３以上であってもよい。
【００２３】
図９〜図１１および図１５に示すように、スライド部材３の脱落を防止する構造は、第１ケース部材２１に引っ掛かるフック部３ｂを含むことが好ましい。言い換えれば、スライド部材３は、スライド部材３が第１位置および第２位置にあるときにスライド軌道２から脱落しないように第１ケース部材２１に引っ掛かるフック部３ｂを備えることが好ましい。本実施の形態では、１つのスライド部材３には２つのフック部３ｂが設けられている。フック部３ｂの数は２とは限らず、１でもよく３以上であってもよい。もっとも現実的には、スペースの都合および安定性の観点からフック部３ｂの数は２が最適であると考えられる。
【００２４】
スライド部材３の脱落を防止する構造として、ここではフック部３ｂを例示したが、脱落を防止する構造はこれに限らない。図９においてフック部３ｂの先端は図中左側を向いて突出しているが、先端が図中左側の代わりに図中右側に向かって突出する構造も考えられる。図９〜図１１に示したフック部３ｂは断面がＬ字形となっているが、スライド部材３の脱落を防止する構造としては、たとえば断面がＴ字形となっている構造を含んでいてもよい。スライド部材３の脱落を防止する構造は、第１ケース部材２１の内部に何らかの向きに挿入されて、第１ケース部材２１から離れようとする向きの力に対しては何らかの方法で引っ掛かる構造であればよい。ただし、脱落を防止する構造は、スライド部材３の摺動を許容するものでなければならない。
【００２５】
なお、本実施の形態で示したように、電池１は、第１端部１ａとは反対側に第２端部１ｂを有し、第２端部１ｂには第２係合部４２が設けられており、第１ケース部材２１は、第２係合部４２と係合する第３係合部４３を有し、スライド部材３が第２位置にある状態では、電池１は第２係合部４２と第３係合部４３とが接する箇所を中心軸として回動するようにして収容部１０に出し入れ可能であることが好ましい。すなわち、図１６に示すように、電池１を矢印９１に沿って回動させて収容部１０に出し入れ可能であることが好ましい。このように、第１ケース部材２１に第３係合部４３を設けて、第３係合部４３が電池１の第２端部１ｂの第２係合部４２と係合するようにすることで、電池１を収容部１０に入れる際には、先に第２端部１ｂを収容部１０に入れてから、電池１を矢印９１に沿って回動させて第１端部１ａを収容部１０に入れることとなる。逆に、電池１を収容部１０から取り出す際には、スライド部材３を第２位置とした状態で、電池１を矢印９１に沿って回動させてまず第１端部１ａを収容部１０から取り出した後に第２端部１ｂを収容部１０から取り出すこととなる。電池１の第２係合部４２と第１ケース部材２１の第３係合部４３とが係合しているので、収容部１０に正しく入っている電池１を取り出す際には、第２端部１ｂを先に取り出すことはできない。このように電池１の出し入れの手順に制約が生じるので、不所望なタイミングで衝撃などにより電池１が収容部１０から出てしまうことをなるべく防止することができる。
【００２６】
なお、スライド部材３は、第１端部１ａに沿って摺動することによって、第１位置（図４参照）とも第２位置（図５参照）とも異なる位置であってスライド部材３が第１ケース部材２１に着脱自在となる第３位置をとりうることが好ましい。この摺動はスライド軌道２内で行なわれる。第３位置においては、スライド部材３はスライド軌道２に挿抜自在となる。スライド部材３が第３位置にある状態を図１７に示す。図１７では、電池１を取り外した状態を示しているので、電池１は二点鎖線で示されている。電子機器１０１の組立現場においてスライド部材３をスライド軌道２に取り付ける際には、図１７に示すようにスライド部材３を第３位置において挿入する。この状態では、スライド部材３の２ヶ所のフック部３ｂは、開口部２ａ，２ｂの広幅部２ａ１，２ｂ１を通過することができるので、スライド部材３を容易に挿抜することが可能となる。このあと、スライド部材３を第２位置（図５参照）にずらすことによって、２ヶ所のフック部３ｂは、開口部２ａ，２ｂの狭幅部２ａ２，２ｂ２に入り込むので、フック部３ｂは抜けなくなる。すなわち、スライド部材３はスライド軌道２から脱落しなくなる。スライド部材３を第１位置（図４参照）にずらしたときも、２ヶ所のフック部３ｂは、引き続き開口部２ａ，２ｂの狭幅部２ａ２，２ｂ２に入り込んでいるので、フック部３ｂは抜けない。したがって、スライド部材３は、第１位置または第２位置にあるときにはスライド軌道２から脱落することは防止される。スライド部材３を第３位置にするのは、通常は、スライド部材３を第１ケース部材２１に組み付けた直後のみであり、ユーザが通常の方法で電子機器１０１を使用している限りでは第３位置に切り換える必要は生じない。しかし、何らかの事情で電子機器１０１を分解する必要が生じたときには、スライド部材３を第３位置に切り換えることにより、スライド部材３を容易に第１ケース部材２１から取り外すことができる。
【００２７】
なお、本実施の形態では、図９〜図１１に示したように、スライド部材３は、電池１とは反対側を向く側面に突起３ｄを有する。突起３ｄの近傍には溝３ｅが設けられている。
【００２８】
図４、図５、図１２に示すように、第１ケース部材２１には、３本の溝、すなわち、溝２ｄ，２ｅ，２ｆが設けられている。スライド部材３は突起３ｄ（図９〜図１１参照）を有するので、スライド部材３がスライド軌道２内で摺動することに伴って、突起３ｄは、溝２ｄ，２ｅのいずれかに嵌まり込むことによって安定する。溝２ｄはスライド部材３が第１位置にあるとき（図４参照）に使用され、溝２ｅはスライド部材３が第２位置にあるとき（図５参照）に使用される。このように突起３ｄと溝２ｄ，２ｅのいずれかとの嵌合が行なわれることにより、ユーザはクリック感を得ることができる。本実施の形態で示したスライド部材３では、突起３ｄに隣接して溝３ｅが設けられていたので、突起３ｄの根元が変形しやすく、その結果、突起３ｄと溝２ｄ，２ｅのいずれかとが嵌合している状態からのスライド部材３の摺動は、容易にすることができる。
【００２９】
図４、図５、図１２に示すように、第１ケース部材２１には、溝２ｄ，２ｅとは別に、溝２ｆが設けられていたが、溝２ｆは、スライド部材３が第３位置にあるとき（図１７参照）に使用される。すなわち、スライド部材３が第３位置にあるときには、突起３ｄが溝２ｆに入り込む。このように溝２ｆを設けておくことにより、第３位置にある状態のスライド部材３は安定する。
【００３０】
本実施の形態で示した例では、スライド部材３は、ユーザから見える側の面に突起３ｆを有する。突起３ｆはこの例では線状のものが２本設けられているが、突起３ｆの本数は２本に限らない。また、突起３ｆは線状のものとも限らない。突起３ｆは、ユーザの指先または爪先がスライド部材３に引っ掛かりやすくするためのものである。このような突起３ｆがあることにより、ユーザがスライド部材３を移動させる作業は容易となる。
【００３１】
なお、図１８に示すように、第１ケース部材２１に対して取り付けられる第２ケース部材２２を備え、第２ケース部材２２は、第２ケース部材２２が第１ケース部材２１に取り付けられている状態ではスライド部材３の摺動空間内、すなわち、スライド軌道２内に挿入される第１突起４を有し、第１突起４が摺動空間内に挿入されている状態では、スライド部材３は第３位置をとることが阻害されることが好ましい。図１８では、第２ケース部材２２に第１突起４が設けられている様子が示されている。第１突起４は、第２ケース部材２２を第１ケース部材２１に対して取り付けたときに、開口部２ａの広幅部２ａ１に挿入されるような位置に配置されている。第１突起４は単純な柱状のものであってもよいが、図１８に示した例では、略四角柱の筒状のものとしている。このように中空形状のものとすれば、軽量化を図ることができるので好ましい。第２ケース部材２２を第１ケース部材２１に対して取り付けた状態のスライド部材３の近傍を拡大したところを図１９に示す。第１突起４がスライド軌道２の一部に第１突起４が入り込んでいることにより、スライド部材３は第１突起４の側に移動できなくなる。その結果、スライド部材３が第３姿勢になることは妨げられる。ユーザが電子機器１０１を使用している際には、第１突起４は常にスライド軌道２内に第１突起４が入り込んでいるので、スライド部材３が第３位置になることは決してない。このような構造により、ユーザが使用している際に、スライド部材３がスライド軌道２から脱落することは防止される。
【００３２】
収容部１０に電池１が収容された状態で収容部１０を塞ぐように第１ケース部材２１に取り付けられる蓋部３２を備え、スライド部材３は、蓋部３２に当接する面３ｃ（図９、図１４、図１５を参照）を有することが好ましい。スライド部材３は上面として平坦な面３ｃを備えており、蓋部３２を第１ケース部材２１に取り付けたときには面３ｃは蓋部３２に当接する（たとえば図１５におけるＺ２部）。
【００３３】
落下などの衝撃により電池１が収容部１０から出る向きに瞬間的に動こうとして、これにより張出部３ａを持ち上げる向きの力が作用したときには、面３ｃが蓋３２の下面に対してある程度広い面積で当接していることで力は分散され、衝撃に耐えることができる。図１４、図１５に示すようにスライド部材３の図中右側の側面も第１ケース部材２１の側面に当接しており、衝撃時には同様に力を分散することができる（たとえば図１５におけるＺ３部）。図１５においてフック部３ｂの上面が第１ケース部材２１に当接している箇所（たとえば図１５におけるＺ４部）も同様に力を受けて分散させることができるので、スライド部材３が衝撃に耐えるためには有用である。
【００３４】
蓋部３２を単独で取り出したところを、図２０および図２１に示す。図２１は、図２０に比べて異なる向きから蓋部３２を見た様子を示している。蓋部３２は第２突起６を有している。蓋部３２を第１ケース部材２１に取り付けた状態で平面視したときのスライド部材３と第２突起６との位置関係を図２２に示す。本来は、蓋部３２の背後にある第２突起６もスライド部材３も、蓋部３２に覆われて見えないが、図２２では蓋部３２の背後の様子を透視したものとして示している。蓋部３２は、蓋部３２が第１ケース部材２１に取り付けられている状態ではスライド部材３の摺動空間内、すなわち、スライド軌道２内に挿入される第２突起６を有し、第２突起６が摺動空間内に挿入されている状態では、スライド部材３は第２位置をとることが阻害されることが好ましい。ここで示した例では第２突起６は２×２の四角い開口部を有する構造となっている。軽量化のためには、第２突起６は何らかの中空構造であることが好ましい。第２突起６は、第１突起４（図１８参照）と同様に単純な中空の四角柱状としてもよいが、平面視したときに第２突起６が占める面積が大きい場合は、図２２に示した例のように内部の中空部分に隔壁を設けて強度を上げることが好ましい。図２０〜図２２に示した例では、第２突起６の中空部分の内部には「＋」状の隔壁が設けられている。
【００３５】
なお、上記実施の形態で好ましい旨を説明した追加的構成のうち複数を適宜組み合わせて採用してもよい。
【００３６】
なお、ここまで「電子機器」という用語を用いて説明したが、電子機器は、たとえば携帯電話、携帯情報端末、タブレット端末、パーソナルコンピュータ、ゲーム機、テレビ受像機、携帯音楽プレーヤー、ＣＤプレーヤー、ＤＶＤプレーヤー、電子辞書、電子書籍リーダー、デジタルカメラ、ビデオカメラ、ラジオ受信機、ナビゲーションシステムなどを含む広い概念である。携帯電話または携帯情報端末の概念にはスマートフォンが含まれる。
【００３７】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００３８】
１  電池、１ａ  第１端部、１ｂ  第２端部、１ｕ  第１主面、１ｒ  第２主面、２  スライド軌道、２ａ，２ｂ  開口部、２ａ１，２ｂ１  広幅部、２ａ２，２ｂ２  狭幅部、２ｃ  隔壁、２ｄ，２ｅ，２ｆ  溝、３  スライド部材、３ａ  張出部、３ｂ  フック部、３ｃ  （蓋部に当接する）面、３ｄ  突起、３ｅ  溝、３ｆ  線状突起、４  第１突起、５  面、６  第２突起、１０  収容部、２０  ケース、２１  第１ケース部材、２２  第２ケース部材、３１  表示領域、３２  蓋部、３４  撮像部、４１  第１係合部、４２  第２係合部、４３  第３係合部、９１  矢印、１０１  電子機器。
【図１】
2017033625.tif 000003
【図２】
2017033625.tif 000004
【図３】
2017033625.tif 000005
【図４】
2017033625.tif 000006
【図５】
2017033625.tif 000007
【図６】
2017033625.tif 000008
【図７】
2017033625.tif 000009
【図８】
2017033625.tif 000010
【図９】
2017033625.tif 000011
【図１０】
2017033625.tif 000012
【図１１】
2017033625.tif 000013
【図１２】
2017033625.tif 000014
【図１３】
2017033625.tif 000015
【図１４】
2017033625.tif 000016
【図１５】
2017033625.tif 000017
【図１６】
2017033625.tif 000018
【図１７】
2017033625.tif 000019
【図１８】
2017033625.tif 000020
【図１９】
2017033625.tif 000021
【図２０】
2017033625.tif 000022
【図２１】
2017033625.tif 000023
【図２２】
2017033625.tif 000024